(57)【要約】【課題】止水板で建物の開口の前方からの浸水を防止する際、止水板を下方に確実に移動して床に確実に圧接できるようにした止水装置を提供する。【解決手段】第二回動部８と第一回動部９が連動して回動するよう連結ロッド１０で連結する。支柱１には、隆起部３５を有する第二被係合部３２と、当接部３６を有する第一被係合部３３が設けられている。ハンドルを回動すると、第一回動部９が最初に回動して、当接部３６に接触し止水板３を下降させ、止水板の底面を床側に圧接する。第一回動部９の回動に遅れて、第二回動部８が回動すると、第二被係合部３２の隆起部３５に第二係合部１４が係合して止水板３を前後方向に移動して建物側に圧接する。【選択図】図１５
2018178496.tif 000002
【特許請求の範囲】
【請求項１】
建物の開口を塞いで立設する止水板に設けた係合部と建物側に設けた被係合部とを係合し、開口の前方からの浸水を防止する止水装置であって、止水板の板面左右の少なくとも一端側に、第一回動部と第二回動部とが上下方向に間隔をあけて設けられ、上記第一回動部と第二回動部とは連回動するよう接続され、上記第一回動部には第一回動部の回動中心から突出して形成される第一係合部が設けられ、第一回動部に対して建物側に第一被係合部が設けられ、上記第二回動部には第二回動部の回動中心から突出して形成される第二係合部が設けられ、第二回動部に対して建物側に第二被係合部が設けられ、第一係合部と第一被係合部とが係合して止水板の底面が床側に圧接された後、第二係合部と第二被係合部とが係合して止水板の前板面または後板面が建物側に圧接されることを特徴とする止水装置。
【請求項２】
上記第一被係合部は、第一係合部が当接する当接部を具備し、上記第一回動部は、第一ベース部と、該第一ベース部に回動可能に設けられた第一ハブ部と、第一ハブ部から突設する第一係合部とを具備し、第二被係合部は、第二係合部が摺接する隆起部を具備し、上記第二回動部は、第二ベース部と、第二ベース部に回動可能に設けられた第二ハブ部と、第二ハブ部から突設する第二係合部と、第二ハブ部に回動可能に係合しハンドルを有するハンドル部とを具備し、ハンドル部と第二ハブ部との間にはハンドル部が回動した際、遅れて第二ハブ部が従回動するよう遅延機構が設けられている請求項１に記載の止水装置。
【請求項３】
上記遅延機構はカム機構である請求項２に記載の止水装置。
【請求項４】
上記第一被係合部または／及び第一係合部に緩衝機構が設けられている請求項１ないし３のいずれかに記載の止水装置。
【請求項５】
上記第一回動部と第二回動部は連結ロッドで連結され、かつ該連結ロッドは各回動部に設けたロッド棒ジョイントにねじ係合により接続されている請求項１ないし４のいずれかに記載の止水装置。
【発明の詳細な説明】
【技術分野】
【０００１】
本発明は、豪雨等の際、建物の出入口や通路等の開口から雨水が浸入するのを防止するために開口の下方部分を塞ぐ止水板を、建物側や床側に圧接する形式の止水装置に関する。
【背景技術】
【０００２】
通路や駐車場の入口として使用されている開口の下部を、降雨の際に止水板で塞いで止水板の前面側からの雨水の浸入を防止するようにした種々の止水装置が広く用いられている。このような装置として、構造物の入口両側に該構造物に密着固定する対向溝形立柱と、該立柱の溝内に左右両端部を挿入可能な防水板とよりなり、該防水板の底面及び左右両側部正面に弾性止水ゴムを設け、該弾性止水ゴムを床面及び上記溝の正面側内面に、クレセントの腕を垂直から水平へ回動し、該腕を垂直から水平への一発回動によって同時に圧接させるクレセントを防水板の正面と、上記立柱の正面とに掛け渡すように形成した防止装置が知られている（例えば特許文献１参照）。
【０００３】
特許文献１に記載の防水装置は、クレセントの回動による一発操作で圧接が済むので、操作が簡単であるが、防水板の底面の弾性止水ゴムが十分に床面に圧着されないことがある。すなわち、防水板を垂直方向と水平方向に同時に一発回動により圧接する際、特許文献１に記載されているように、クレセントの腕の先端ローラーを立柱に固定したカムの斜面に当てて正面側に移動することにより防水板の両端に設けた弾性止水ゴムを対向溝の正面側内面に圧接し、同時に上記先端ローラーをカムの上端突起の下面に当てることにより防水板を下降させ、底面の弾性止水ゴムを床面に圧接するようにしている。しかし、１つのカムに先端ローラーを当てて防水板を水平方向に移動させると、両端に設けた弾性止水ゴムが弾性変形して防水板は立柱に密着し、その状態で防水板を同時に降下させるには、防水板の水平方向に作用している力に抗して下降させなければならないから、非常に大きな力を必要とする。実際には、防水板が降下する量が少なく、防水板の自重だけで底面の弾性止水ゴムを弾性変形させているような状況が多く発生し、下端の防水が不確実になることがある。さらに、特許文献１に記載の防水装置は、１つのカムにクレセントの先端ローラーを係合させて防水板を同時に前後方向と下方向に移動させるようにしているが、前後方向と下方向の力を同時に１か所に作用させると、カムや先端ローラー部分に大きな力が集中して作用し、大きな力を必要とし、損傷の原因となることもあった。
【先行技術文献】
【特許文献】
【０００４】
【特許文献１】特許第３４５８０７７号公報（請求項１、段落００１０、００１１、図２、図４）
【発明の概要】
【発明が解決しようとする課題】
【０００５】
本発明は、大きな力をかけずに、止水板を建物側と床側に圧接して浸水を確実に防止できるようにした止水装置を提供することである。
【課題を解決するための手段】
【０００６】
本発明によれば、建物の開口を塞いで立設する止水板に設けた係合部と建物側に設けた被係合部とを係合し、開口の前方からの浸水を防止する止水装置であって、止水板の板面左右の少なくとも一端側に、第一回動部と第二回動部とが上下方向に間隔をあけて設けられ、上記第一回動部と第二回動部とは連回動するよう接続され、上記第一回動部には第一回動部の回動中心から突出して形成される第一係合部が設けられ、第一回動部に対して建物側に第一被係合部が設けられ、上記第二回動部には第二回動部の回動中心から突出して形成される第二係合部が設けられ、第二回動部に対して建物側に第二被係合部が設けられ、第一係合部と第一被係合部とが係合して止水板の底面が床側に圧接された後、第二係合部と第二被係合部とが係合して止水板の前板面または後板面が建物側に圧接されることを特徴とする止水装置が提供され、上記課題が解決される。ここで建物とは、支柱や塀、家屋などに例示されるように、開口を形成するものであればよく、形状や用途等は特に限定されない。
【０００７】
本発明によれば、上記止水装置において、上記第一被係合部は、第一係合部が当接する当接部を具備し、上記第一回動部は、第一ベース部と、該第一ベース部に回動可能に設けられた第一ハブ部と、第一ハブ部から突設する第一係合部とを具備し、上記第二被係合部は、第二係合部が摺接する隆起部を具備し、上記第二回動部は、第二ベース部と、第二ベース部に回動可能に設けられた第二ハブ部と、第二ハブ部から突設する第二係合部と、第二ハブ部に回動可能に係合しハンドルを有するハンドル部とを具備し、上記第二回動部とハンドル部との間に、該ハンドル部を回動した際、第二回動部が第一回動部より遅れて回動するよう遅延機構が設けられていることを特徴とする止水装置が提供される。
【０００８】
また、上記止水装置において、上記第一被係合部または／及び第一係合部に緩衝機構が設けられており、上記第一回動部と第二回動部に取り付けたロッド棒ジョイントには、第一回動部と第二回動部を連動させる連結ロッドがねじ係合により連結されている止水装置が提供される。
【発明の効果】
【０００９】
本発明の止水装置は、上記のように構成され、係合部を有する第一回動部と第二回動部とを止水板の板面に上下に間隔をあけて設け、これらが連動して回動するよう接続し、第一回動部に設けた第一係合部を、建物側に設けた第一被係合部に係合させて止水板を下方向に圧接した後、第二回動部に設けた第二係合部を、建物側に設けた第二被係合部に係合させて止水板を前後方向に圧接するようにしたので、止水板を下方向に移動させる際、止水板は自由状態になっているから、小さな力で止水板を下方向に移動させ、底面を床に圧接することができる。また、回動部の係合部とそれに対する被係合部とが係合して止水板を圧接する方向を一方向にしたことにより、各係合部から止水板に作用する荷重が分散され、容易に止水板を移動させて止水することができる。また、ハンドルを回動した際、第二回動部が第一回動部より遅れて回動するよう遅延機構を設けると、第二回動部による押圧作用を一層確実に遅れさせることができる。また、第一被係合部または／及び第一係合部に緩衝機構を設けたので、係合の際の第一被係合部や第一係合部にかかる力を緩和するとともに、第一回動部及び第二回動部を容易に回動させることができる。
さらに、第一回動部と第二回動部とを連動させる連結ロッドを、ねじ係合によりロッド棒ジョイントに接続すると、連結ロッドを回転することによりロッド棒ジョイント間の長さを変えて回動のタイミングを調整することができる。
【図面の簡単な説明】
【００１０】
【図１】本発明の一実施例を示す未係合状態の一部を省略した正面図。
【図２】一部を省略した係合状態の正面図。
【図３】支柱と止水板の関係を示す一実施例の一部の拡大平面図。
【図４】支柱と止水板の関係を示す他の一実施例の一部の拡大平面図。
【図５】第二回動部の分解斜視図。
【図６】第二回動部の未係合状態の説明図。
【図７】第二回動部が約２０度回動したときの説明図。
【図８】第二回動部が約９０度回動した係合状態の説明図。
【図９】第一回動部の分解斜視図。
【図１０】第二被係合部を示し、（Ａ）は側面図、（Ｂ）は正面図。
【図１１】第一被係合部を示し、（Ａ）は断面図、(Ｂ)は正面図。
【図１２】未係合状態の説明図。
【図１３】ハンドルを約２０度回動した状態の説明図。
【図１４】ハンドルを約６５度回動した状態の説明図。
【図１５】ハンドルを約７５度回動した状態の説明図。
【図１６】ハンドルを約９０度回動した状態の説明図。
【発明を実施するための形態】
【００１１】
本発明の一実施例を示す図１〜図４を参照し、公知のように、差込溝２を有する支柱１が、建物の出入口等の開口の下方部分の両側に対向状態（図１等では片側の支柱部分を示している）に設置され、この支柱の差込溝間に止水板３が挿入される。止水板の板面の左右両端側及び床５側の底面には、ゴム材料等の弾性部材で形成した弾性止水部材４が設けられている。なお、支柱を設けないで建物側に段部を設けて止水板を立設させるようにしてもよい（図示略）。
【００１２】
上記止水板３の板面の左右の少なくとも一端側には、係合部を有する第一回動部９と第二回動部８が上下方向に間隔をあけて設けられ、該第一回動部９と第二回動部８は連結ロッド１０で連結され、ロックハンドル６のハンドル１９を回動することにより連動して回動する。第一回動部９と第二回動部８に対向する建物側には、図１に示す実施例では支柱１側には被係合部７がそれぞれ設けられている。この被係合部は上記回動部に設けた係合部が係合することにより、上記弾性止水部材４を支柱や床に圧接するためのものであるから、止水板に回動部を設ける位置に応じて、図３に示すように、止水板３の後板面に回動部を設けた場合は、被係合部７を支柱１の後外面に設けて止水板を後方に引き寄せて支柱１の壁側に圧接したり、図４に示すように、止水板３の前板面に回動部を設けた場合は、被係合部７を支柱１の差込溝２の内面に設けて止水板を後方向に押し付けて差込溝の対向壁側に圧接することにより開口の前方からの浸水を防止できる。係合部を有する回動部と被係合部は、止水板の一端側に設けられていれば止水作用を奏するが、高い止水作用と止水板の設置安定性を奏するためには、止水板の両端側に設けられていることがより好ましい。
【００１３】
図１に示すように、実施例においては第二回動部８を、床に対して上部に位置し、第一回動部９を、下部に位置しているが、この上下の位置を変えて設けることもできる。上記第二回動部８は、図５に示すように、第二ベース部１１に所定範囲内で回動可能に係合し当接される第二ハブ部１２と、この第二ハブ部１２の回動中心から突設し先端に回転可能なローラー１３を有する第二係合部１４を有し、上記第二ハブ部１２にハンドル部１７を係合して当接している。なお、先端にローラー１３を設けることにより第二被係合部との摩擦を軽減でき、スムーズに摺接することができるため好ましいが、第二被係合部に摺接可能であれば、特に設ける必要はない。
【００１４】
該第二ハブ部１２とハンドル部17の間には、第二回動部８が第一回動部９より遅れて回動するよう遅延機構が設けられている。遅延機構としては、各種の機構を採用することができるが、図に示す実施例では、カム機構による遅延機構が設けられている。図５においては、第二ハブ部１２には、被作動側カム１５が設けられ、この被作動側カム１５に係合して該第二ハブ部１２を遅れて従動回動させるよう作動側カム１６がハンドル部１７に設けられており、該ハンドル部１７の側方には連結孔１８を設けたハンドル１９が突設されている。
【００１５】
上記第二ハブ部１２に設けた被作動側カム１５と、ハンドル部１７に設けた作動側カム１６は、それぞれ上記止水板に対して略垂直方向に形成された端面２０及び２２、端面２１及び２３を有し、円周方向に弧状に形成され、端面２０と２１とが、端面２２と２３とが回転軌跡上で対向するように配設されている。これらのカムの関係は、図６に示すように、第二係合部が第二被係合部に係合していない未係合位置にあるときは、第二ハブ部１２の被作動側カム１５の端面２０とハンドル部１７の作動側カム１６の端面２１が当接しており、他方に設けた第二ハブ部１２の被作動側カム１５の端面２２とハンドル部１７の作動側カム１６の端面２３の間には、空間２４が形成されている。この空間部分ではハンドル部１７が回動しても第二ハブ部１２は従回動しない。そして、ハンドル１９を適宜角度、図に示す実施例では、約２０度回動させたとき、図７に示すように端面２２、２３どうしが接触し、以後第二ハブ部１２を介して第二係合部１４が従回動可能となる。したがって、さらにハンドル１９を回動することにより、図８に示すように端面２２、２３を介して第二ハブ部１２、第二係合部１４が回動し、後記するように第二係合部１４のローラー１３は被係合部７に係合する。
【００１６】
上記第一回動部９は、図９に示すように、第一ベース部２５と、該第一ベース部に係合して当接し所定範囲で回動する第一ハブ部２６と、該第一ハブ部２６の回動中心から突設される第一係合部２７と、第一ハブ部２６から突設され連結孔２８を形成した連結部２９を有し、上記第一係合部２７は先端が丸い丸棒状に形成されている。なお、上記ハンドル１９は、第二回動部８に設けずに、第一回動部９の第一ハブ部２６の連結部２９に設けることもできる。
【００１７】
上記第二回動部８と第一回動部９の連結孔１８、２８には、それぞれロッド棒ジョイント３０の先端が軸３１により枢着され、このロッド棒ジョイント３０の他端間に上記連結ロッド１０がねじ着されている。連結ロッド１０は、ロッド棒ジョイント３０にピン等で固着してもよいが、実施例では、連結ロッド１０の両端にねじ係合するロッド棒ジョイント３０の各ねじ部を逆ねじ構造にして接続している。このようにすると、連結ロッド１０を回転することにより、ロッド棒ジョイント３０間の長さを調節して第二回動部８と第一回動部９の移動のタイミングを微調整することができる。この際連結ロッドの回動を容易にするため、連結ロッドの一部若しくは全体を円形以外の異形断面形状に形成したり、適宜の工具を差し込んで回転できるようや孔凹部を設けるようにしてもよい(図示略)。
【００１８】
上記被係合部７は、第二回動部８の第二係合部１４に対向する第二被係合部３２と、第一回動部９の第一係合部２７に対向する第一被係合部３３で構成されている。上記第二被係合部３２には、図１０に示すように、第二回動部８が回動した際、第二係合部１４が転接する傾斜面３４と、それに続く隆起部３５が設けられており、この傾斜面３４に沿って第二係合部１４が移動して隆起部３５に乗り上げることにより、止水板３が略前後方向に移動し、建物側に圧接される。
【００１９】
上記第一被係合部３３には、図１１に示すように、第一回動部９の第一係合部２７が当接する当接部３６が設けられており、該第一係合部２７が当接することにより止水板３は略垂直方向（下方）に移動し、床側に圧接される。図１１に示す実施例では、緩衝機構として、当接部３６が進退可能な機構を備える。第一被係合部本体３７に支柱１に対して略垂直方向に進退可能に筒状の突出筒３８を嵌合して係合し、この突出筒３８内にばね３９を設け、このばねにより突出筒３８を突出方向に付勢し、突出筒の下端を当接部３６とした構成になっている。そして、第一回動部９の回動に伴ってこの突出筒３８の下端である当接部３６に第一回動部９の第一係合部２７が当接すると、第一回動部９は突出筒３８を略垂直方向に後退させながら回動し、止水板３をばね圧により強く略垂直方向に圧接することができる。なお、当接部３６を支柱１から突設した突設部を設けるなどして固定的に設け、第一ハブ部２６に孔を設けて第一係合部２７をこの孔に止水板３に対して略回動中心方向に進退可能に挿入し若しくは第一回動部に突軸を設けて第一係合部を該突軸に止水板３に対して略回動中心方向に進退可能にはめ込み、ばねで突出方向に付勢し、第一係合部２７が当接部３６に当接した際、第一係合部が後退しながら第一回動部がさらに回動するようにして緩衝機構を設けてもよい（図示略）。さらに、第一被係合部と第一係合部の両方に、緩衝機構を設けてもよい。
また、上述したように突出筒３８の当接部３６や第一係合部２７を付勢する手段としては、ある程度の距離を進退可能であることが好ましいためばねが好適に用いられるが、弾性体であればよく、ゴム等も用いることができる。
このように第一被係合部や第一係合部に緩衝機構が設けられていることで、止水板を略垂直方向に圧接しながらも、止水板の底面が床から受ける反力を緩衝機構で緩和するため、第一回動部及び第一回動部と連動して回動するよう接続した第二回動部を容易に回動させることができ、第一被係合部や第一回動部に過度な力が加わることによる損傷をも防止することができる。
【００２０】
上記第一回動部９の第一係合部２７と第二回動部８の第二係合部１４は、各回動部が連動して回動した際、上記当接部３６に第一回動部９の第一係合部２７が当接して止水板３を降下させた後、上記第二回動部８の第二係合部１４が第二被係合部３２の傾斜面３４、隆起部３５に係合して止水板３を水平移動するよう支柱１に位置決めして固定してある。
【００２１】
上記構成により、本発明の止水装置の動作を図１２〜図１６を参照して説明すると、未係合状態では、図１２に示すように第二回動部８の第二係合部１４も第一回動部９の第一係合部２７もそれぞれ被係合部３２、３３から離れており、止水板３を支柱１間に差し込んだり、取り出したりすることができ、止水板は自由状態に保持されている。そして、ハンドル１９を回動すると、最初のうち、図に示す実施例ではハンドル１９が約２０度回動するまでは第二回動部８は回動せず、第一回動部９のみが回動する（図１３参照）。さらに、ハンドルを回動する、図に示す実施例では約６５度回動すると、第二回動部８も回動を始め、第二被係合部３２に第二係合部１４が近づくが、それ以前に第一回動部９の第一係合部２７は、第一被係合部３３の当接部３６に接触し始めている（図１４参照）。さらにハンドルを回動し、図に示す実施例では約７６度回動すると、第一回動部９の第一係合部２７は当接部３６に強く当接するから、止水板３は垂直方向（下方）に移動し、床側に圧接される（図１５参照）。このときの圧縮力は、実施例では、ばねが約１０ｍｍ押し上げられたとき、約５６Ｎの力が作用するような強さのばねを用いている。そして、ハンドルをさらに回動して、実施例では約９０度回動すると、第二回動部８の第二係合部１４は、第二被係合部３２の傾斜面３４を介して隆起部３５に乗り上げ、止水板３を前後方向に移動し、建物側に圧接することができる（図１６参照）。
【００２２】
上記のように、ハンドルを回動した際、最初に第一回動部９が回動し、それより遅れて第二回動部８が回動するようにすると、止水板３は最初に略垂直方向に移動して底面が床側に圧接され、次に略前後方向に移動して建物側に圧接されることになり、弾性止水部材４を支柱面と床との間で確実に圧縮して確実に浸水を防止することができる。
【００２３】
図１６に示す状態から、ハンドルを逆方向に回動することにより、止水板３への圧接力は解除されるから、止水板を支柱から取り出すことができる。図に示す実施例では、第一回動部と第二回動部を１個づつ連接したが、所望により適宜数個連結するようにしたり、所望により止水板の板面の片側だけに設けてもよい。また、係合部を支柱側に設け、被係合部を止水板側に設けるように構成してもよい。
【符号の説明】
【００２４】
１    支柱
３    止水板
６    ロックハンドル
７    被係合部
８    第二回動部
９    第一回動部
１０  連結ロッド
１２  第二ハブ部
１４  第二係合部
１７  ハンドル部
１９  ハンドル
２６  第一ハブ部
２７  第一係合部
３０  ロッド棒ジョイント
３２  第二被係合部
３３  第一被係合部
３４  傾斜面
３５  隆起部
３６  当接部
３９  ばね
【図１】
2018178496.tif 000003
【図２】
2018178496.tif 000004
【図３】
2018178496.tif 000005
【図４】
2018178496.tif 000006
【図５】
2018178496.tif 000007
【図６】
2018178496.tif 000008
【図７】
2018178496.tif 000009
【図８】
2018178496.tif 000010
【図９】
2018178496.tif 000011
【図１０】
2018178496.tif 000012
【図１１】
2018178496.tif 000013
【図１２】
2018178496.tif 000014
【図１３】
2018178496.tif 000015
【図１４】
2018178496.tif 000016
【図１５】
2018178496.tif 000017
【図１６】
2018178496.tif 000018